(57)【要約】【課題】作業者がウォータージェット噴射装置本体を両手で持った状態でスイッチを押したときに高圧流体を噴射させることができる噴射装置を提供すること。【解決手段】ウォータージェット噴射装置Ｓは、高圧流体発生手段Ｐから供給される高圧流体を噴射するノズル１１と、ノズル１１を備えたウォータージェット噴射装置本体１と、ウォータージェット噴射装置本体１と高圧流体発生手段Ｐとの間に介在されたドレン弁ユニット２とを備えている。ウォータージェット噴射装置本体１は、作業者が一方の手で把持する基端側把手１２と、他方の手で把持する先端側把手１３と、基端側把手１２に設けられた手元スイッチ５と、先端側把手１３に設けられたグリップスイッチ６とを備えている。高圧流体発生手段Ｐから供給される高圧流体は、手元スイッチ５とグリップスイッチ６との両方がＯＮになったときにノズル１１から噴射される。【選択図】図１
2014080795.tif 000002
【特許請求の範囲】
【請求項１】
高圧流体発生手段から供給される高圧流体を噴射流として噴射するノズルと、このノズルを備えたウォータージェット噴射装置本体と、このウォータージェット噴射装置本体と前記高圧流体発生手段との間に介在されたドレン弁ユニットと、を備えたウォータージェット噴射装置において、
前記ウォータージェット噴射装置本体は、作業者が一方の手で把持する基端側把手と、
前記作業者が他方の手で把持する先端側把手と、
前記基端側把手に設けられた手元スイッチと、
前記先端側把手に設けられたグリップスイッチと、を備え、
前記高圧流体発生手段から供給される高圧流体が、前記手元スイッチと前記グリップスイッチの両方が押されてＯＮになったときに前記ノズルから噴射されることを特徴とするウォータージェット噴射装置。
【請求項２】
前記グリップスイッチは、３ポジションスイッチからなり、未操作の第１操作ポジションのときにＯＦＦ、前記第１操作ポジションから一段押して第２操作ポジションに操作したときにＯＮ、前記第２ポジションからさらに一段押して第３ポジションに操作したときにＯＦＦとなることを特徴とする請求項１に記載のウォータージェット噴射装置。
【請求項３】
前記ウォータージェット噴射装置本体は、一端が前記高圧流体発生手段に接続され、他端が前記基端側把手に接続された高圧ホースと、
基端側が前記基端側把手に取り付けられて前記高圧ホースに連通し、先端側が前記ノズルに接続されたランス部と、
前記グリップスイッチに接続されて前記グリップスイッチからの開閉信号を送信する信号送信部と、を備え、
前記ドレン弁ユニットは、前記高圧流体発生手段から前記高圧ホースを介してウォータージェット噴射装置本体に高圧流体を供給する前記高圧ホースを流路開放状態と流路遮断状態とに切り換えるドレン弁と、
前記信号送信部からの信号を受信する受信器と、を備え、前記信号送信部からの駆動信号を受信したときに前記ドレン弁を閉弁させて、前記高圧流体発生手段からウォータージェット噴射装置本体に高圧流体を供給可能にし、さらに、
前記ドレン弁ユニットから供給される高圧流体は、前記手元スイッチをＯＮ状態にしたときに、前記ノズルから高圧流体が噴射されることを特徴とする請求項１または請求項２に記載のウォータージェット噴射装置。
【請求項４】
前記ドレン弁ユニットは、エア供給源の圧縮空気が供給されて、前記受信器からの駆動信号で作動して前記ドレン弁を閉弁させるエア自動弁が、前記ドレン弁の近傍位置に設置されていることを特徴とする請求項３に記載のウォータージェット噴射装置。
【請求項５】
高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、
前記ウォータージェット噴射装置本体に設けられた先端側把手に設置され、作業者が他方の手で前記先端側把手を把持しながら操作するグリップスイッチと、
前記グリップスイッチからの開閉信号を送信する信号送信部と、
前記信号送信部からの信号を受信する受信器と、
前記信号送信部からの駆動信号を前記受信器で受信したときに、前記高圧流体発生手段から前記ウォータージェット噴射装置本体に前記高圧流体を供給する高圧ホースを流路開放状態と流路遮断状態とに切り換えるドレン弁を閉弁させて、前記高圧流体発生手段から前記ウォータージェット噴射装置本体に高圧流体を供給可能にするドレン弁ユニットと、を備え、
前記手元スイッチと前記グリップスイッチは、その両方が押されてＯＮになったときに、前記ノズルから前記噴射流を噴射させるように出力することを特徴とするウォータージェット噴射用スイッチ装置。
【請求項６】
高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、
前記ウォータージェット噴射装置本体に設けられた先端側把手に設置され、作業者が他方の手で前記先端側把手を把持しながら操作するグリップスイッチと、を備え、
前記手元スイッチと前記グリップスイッチは、その両方が押されてＯＮになったときに、前記ノズルから前記噴射流を噴射させるように出力することを特徴とするウォータージェット噴射用スイッチ装置。
【請求項７】
高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、
前記ウォータージェット噴射装置本体に設けられた先端側把手に設置され、作業者が他方の手で前記先端側把手を把持しながら操作するグリップスイッチと、
前記グリップスイッチからの開閉信号を送信する信号送信部と、
前記信号送信部からの信号を受信する受信器と、
前記信号送信部からの駆動信号を前記受信器で受信したときに作動するエア自動弁と、を備え、
前記高圧流体発生手段から前記ウォータージェット噴射装置本体に前記高圧流体を供給する高圧ホースを流路開放状態と流路遮断状態とに切り換えるドレン弁を、前記エア自動弁を介してエア供給源から供給される圧縮空気により閉弁させて、前記高圧流体発生手段から前記ウォータージェット噴射装置本体に高圧流体を供給可能にする、ことを特徴とするウォータージェット噴射用スイッチ装置。
【発明の詳細な説明】
【技術分野】
【０００１】
本発明は、ウォータージェット噴射装置本体（「ウォータージェットガン」ともいう。）のノズルから高圧流体を噴射してワーク等の対象物を洗浄、剥離、はつり、あるいは、切断するウォータージェット噴射装置及びウォータージェット噴射用スイッチ装置に関する。
【背景技術】
【０００２】
従来、化学プラント、建築、土木現場等において、作業者が手に把持したウォータージェット噴射装置本体（携帯ノズル装置）から高圧流体（高圧水）を噴射して洗浄、剥離、はつり、切断等を行う装置としては、例えば、特許文献１，２に開示されたウォータージェット噴射装置（高圧噴射装置）が知られている。
【０００３】
特許文献１に開示されたスプレーガンは、安全スイッチを把手（ハンドル部）に持つウォータージェット噴射装置である。このウォータージェット噴射装置は、作業者が片手で持つ１つの把手（ハンドル部）と、この把手のみに設けられた１つの安全スイッチとを備えている。
このようなウォータージェット噴射装置は、把手が１箇所であるので、片手で保持しながら作業を行うことになるため、不安定であり、また、作業者が疲労し易いという問題点がある。
【０００４】
特許文献２に記載された高圧水噴射装置は、そのような問題点を解消すべく発明されたウォータージェット噴射装置であり、携帯ノズル装置に基端側把手（基端側グリップ）と、先端側把手（先端側グリップ）との２つの把手を設けている。そのウォータージェット噴射装置は、作業者が一方の手で基端側把手を把持し、他方の手で先端側把手を把持した状態で使用するので、安定した状態で高圧流体を噴射させることができる。
また、特許文献２のウォータージェット噴射装置は、基端側把手の上端部前側に噴射制御スイッチを設け、その上端部後側に圧力制御スイッチを設けている。
【先行技術文献】
【特許文献】
【０００５】
【特許文献１】特表２００４−５３３９２９号公報（図１、図２）
【特許文献２】特開平９−２１５９５３号公報（図２）
【発明の概要】
【発明が解決しようとする課題】
【０００６】
しかし、特許文献１，２のウォータージェット噴射装置は、高圧流体を噴射及び停止させるためのスイッチが１つであるので、１つの噴射制御スイッチを誤操作した場合、いきなり高圧流体が噴射されるという問題点があった。
【０００７】
特許文献２に記載のウォータージェット噴射装置は、２つの把手を備え、作業者が両手で安定した状態に把持することができるものの、不注意により片手で基端側把手側のみを持ちながら噴射制御スイッチを誤操作した場合、不安定な状態で携帯ノズル装置を持っているときに高圧流体が噴射されるので、高圧流体が対象物の方向とは相違する予期せぬ方向に噴射されるという問題点があった。
【０００８】
また、特許文献２のウォータージェット噴射装置の基端側把手には、上端部前側に噴射制御スイッチが設けられ、その上端部後側に圧力制御スイッチが設けられているので、その両方のスイッチを同時に操作する場合、片手操作になるため、携帯ノズル装置を把持する手が不安定な状態にあるという問題点がある。
【０００９】
本発明は、このような背景に鑑みてなされたものであり、作業者がウォータージェット噴射装置本体を両手で持った状態でスイッチを押したときに高圧流体を噴射させることができるウォータージェット噴射装置及びウォータージェット噴射用スイッチ装置を提供することを目的とする。
【課題を解決するための手段】
【００１０】
前記課題を解決するために、本発明に係るウォータージェット噴射装置は、高圧流体発生手段から供給される高圧流体を噴射流として噴射するノズルと、このノズルを備えたウォータージェット噴射装置本体と、このウォータージェット噴射装置本体と前記高圧流体発生手段との間に介在されたドレン弁ユニットと、を備えたウォータージェット噴射装置において、前記ウォータージェット噴射装置本体は、作業者が一方の手で把持する基端側把手と、前記作業者が他方の手で把持する先端側把手と、前記基端側把手に設けられた手元スイッチと、前記先端側把手に設けられたグリップスイッチと、を備え、前記高圧流体発生手段から供給される高圧流体が、前記手元スイッチと前記グリップスイッチの両方が押されてＯＮになったときに前記ノズルから噴射されることを特徴とする。
【００１１】
かかる構成によれば、ウォータージェット噴射装置は、高圧流体発生手段から供給される噴射流が、手元スイッチとグリップスイッチの両方がＯＮになったときにノズルから噴射されるので、作業者がウォータージェット噴射装置本体をしっかりと持っているときにのみ高圧流体が噴射されるようにすることができる。このため、ウォータージェット噴射装置から噴射される高圧流体は、作業者がウォータージェット噴射装置本体を安定した状態に両手でしっかりと持っているときに、作業者の意思に反して高圧流体が予期せぬ方向に噴射されるのを防止することができる。その結果、ウォータージェット噴射装置本体は、対象物に向けて正確に高圧流体を噴射させることができるので、操作性及び作業性を向上させることができる。
また、ウォータージェット噴射装置は、作業者がウォータージェット噴射装置本体を手で持って操作する場合、一方の手で基端側把手を把持し、他方の手で先端側把手を把持して、必ず、両手でしっかりとそれぞれの把手を持った安定した状態で洗浄作業等が行われるので、長期時間の作業にも対応することができる。
【００１２】
また、前記グリップスイッチは、３ポジションスイッチからなり、未操作の第１操作ポジションのときにＯＦＦ、前記第１操作ポジションから一段押して第２操作ポジポジションに操作したときにＯＮ、前記第２ポジションからさらに一段押して第３ポジションに操作したときにＯＦＦとなることが好ましい。
【００１３】
かかる構成は、非常事態において人間はものを強く握る、という人間工学的知見を考慮したもので、第３ポジションに操作したときにＯＦＦとなるように構成されている。このため、誤って高圧流体が対象物の方向と相違する方向に噴射されるのを防止することができる。
【００１４】
また、前記ウォータージェット噴射装置本体は、一端が前記高圧流体発生手段に接続され、他端が前記基端側把手に接続された高圧ホースと、基端側が前記基端側把手に取り付けられて前記ホースに連通し、先端側が前記ノズルに接続されたランス部と、前記グリップスイッチに接続されて前記グリップスイッチからの開閉信号を送信する信号送信部と、を備え、前記ドレン弁ユニットは、前記高圧流体発生手段から前記高圧ホースを介してウォータージェット噴射装置本体に高圧流体を供給する前記高圧ホースを流路開放状態と流路遮断状態とに切り換えるドレン弁と、前記信号送信部からの信号を受信する受信器と、を備え、前記信号送信部からの駆動信号を受信したときに前記ドレン弁を閉弁させて、前記高圧流体発生手段からウォータージェット噴射装置本体に高圧流体を供給可能にし、さらに、前記ドレン弁ユニットから供給される高圧流体は、前記手元スイッチをＯＮ状態にしたときに、前記ノズルから高圧流体が噴射されることが好ましい。
【００１５】
かかる構成によれば、ウォータージェット噴射装置は、作業者がグリップスイッチをＯＮ状態に操作したときに、信号送信部からドレン弁ユニットの受信器を介してドレン弁を閉弁させて高圧流体発生手段からの高圧流体をウォータージェット噴射装置本体側に供給可能にし、さらに、手元スイッチがＯＮになったときにのみ、ノズルから高圧流体が噴射されるようになっている。
このようにグリップスイッチと手元スイッチとの両方のスイッチがＯＮ状態のときにのみ、高圧流体がノズルから噴射されるようにしたことで、作業者の意思に伴わない誤操作を防止することができる。
【００１６】
また、前記ドレン弁ユニットは、エア供給源の圧縮空気が供給されて、前記受信器からの駆動信号で作動して前記ドレン弁を閉弁させるエア自動弁が前記ドレン弁の近傍位置に設置されていることが好ましい。
【００１７】
かかる構成によれば、ドレン弁ユニットは、エア自動弁が、高圧流体が供給されるドレン弁の近傍位置に設置されていることにより、ウォータージェットの噴射及び停止の作動反応を速くすることができる。
【００１８】
本発明に係るウォータージェット噴射用スイッチ装置は、高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、前記ウォータージェット噴射装置本体に設けられた先端側把手に設置され、作業者が他方の手で前記先端側把手を把持しながら操作するグリップスイッチと、前記グリップスイッチからの開閉信号を送信する信号送信部と、前記信号送信部からの信号を受信する受信器と、前記信号送信部からの駆動信号を前記受信器で受信したときに、前記高圧流体発生手段から前記ウォータージェット噴射装置本体に前記高圧流体を供給する高圧ホースを流路開放状態と流路遮断状態とに切り換えるドレン弁を閉弁させて、前記高圧流体発生手段から前記ウォータージェット噴射装置本体に高圧流体を供給可能にするドレン弁ユニットと、を備え、前記手元スイッチと前記グリップスイッチは、その両方が押されてＯＮになったときに、前記ノズルから前記噴射流を噴射させるように出力することを特徴とする。
【００１９】
かかる構成によれば、ウォータージェット噴射用スイッチ装置は、作業者が一方の手で基端側把手を把持しながら操作する手元スイッチと、作業者が他方の手で前記先端側把手を把持しながら操作するグリップスイッチは、その両方が押されてＯＮになったときに、高圧流体発生手段からの高圧流体がドレン弁ユニットを介してウォータージェット噴射装置本体に供給されて、ノズルから噴射流を噴射させるように出力するので、作業者のどちらかの手が基端側把手または先端側把手を把持していないときはノズルから噴射流が噴射されないようにすることができる。
【００２０】
また、本発明に係るウォータージェット噴射用スイッチ装置は、高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、前記ウォータージェット噴射装置本体に設けられた先端側把手に設置され、作業者が他方の手で前記先端側把手を把持しながら操作するグリップスイッチと、を備え、前記手元スイッチと前記グリップスイッチは、その両方が押されてＯＮになったときに、前記ノズルから前記噴射流を噴射させるように出力することを特徴とする。
【００２１】
かかる構成によれば、ウォータージェット噴射用スイッチ装置は、作業者が一方の手で基端側把手を把持しながら操作する手元スイッチと、作業者が他方の手で前記先端側把手を把持しながら操作するグリップスイッチは、その両方が押されてＯＮになったときに、ノズルから噴射流を噴射させるように出力するので、作業者のどちらかの手が基端側把手または先端側把手を把持していないときはノズルから噴射流が噴射されないようにすることができる。
【００２２】
また、本発明に係るウォータージェット噴射用スイッチ装置は、高圧流体発生手段から供給される高圧流体を噴射流として噴射するノズルと、このノズルを備えたウォータージェット噴射装置本体と、前記ウォータージェット噴射装置本体に設けられた基端側把手に設置され、作業者が一方の手で前記基端側把手を把持しながら操作する手元スイッチと、を備えたウォータージェット噴射装置に適用するウォータージェット噴射用スイッチ装置において、前記ウォータージェット噴射装置本体に設けられた先端側把手に設置され、作業者が他方の手で前記先端側把手を把持しながら操作するグリップスイッチと、前記グリップスイッチからの開閉信号を送信する信号送信部と、前記信号送信部からの信号を受信する受信器と、前記信号送信部からの駆動信号を前記受信器で受信したときに作動するエア自動弁と、を備え、前記高圧流体発生手段から前記ウォータージェット噴射装置本体に前記高圧流体を供給する高圧ホースを流路開放状態と流路遮断状態とに切り換えるドレン弁を、前記エア自動弁を介してエア供給源から供給される圧縮空気により閉弁させて、前記高圧流体発生手段から前記ウォータージェット噴射装置本体に高圧流体を供給可能にする、ことを特徴とする。
【００２３】
かかる構成によれば、ウォータージェット噴射用スイッチ装置は、高圧流体発生手段からウォータージェット噴射装置本体に高圧流体を供給する高圧ホースを流路開放状態と流路遮断状態とに切り換えるドレン弁を、エア自動弁を介してエア供給源から供給される圧縮空気により閉弁させることによって、高圧流体発生手段からウォータージェット噴射装置本体に高圧流体を供給可能にしている。このため、ノズルから噴射される噴射流は、手元スイッチとグリップスイッチの両方をＯＮにしたときにだけ、信号送信部から受信器を介してエア自動弁及びドレン弁を駆動させて、噴射流を噴射させることができる。
【発明の効果】
【００２４】
本発明のウォータージェット噴射装置及びウォータージェット噴射用スイッチ装置によれば、作業者がウォータージェット噴射装置本体を両手で持った状態でスイッチを押したときに高圧流体を噴射させることができるので、安定した状態で作業することができる。また、作業者の誤操作を防止することができる。
【図面の簡単な説明】
【００２５】
【図１】本発明の実施形態に係るウォータージェット噴射装置の一例を示す概略図である。
【図２】図１に示すウォータージェット噴射装置のウォータージェット噴射装置本体の拡大図である。
【図３】本発明の実施形態に係るウォータージェット噴射装置の第１変形例を示す概略図である。
【図４】図３に示すウォータージェット噴射装置のウォータージェット噴射装置本体の拡大図である。
【図５】本発明の実施形態に係るウォータージェット噴射装置の第２変形例を示す概略図である。
【図６】本発明の実施形態に係るウォータージェット噴射装置の第３変形例を示す概略図である。
【図７】図６に示すウォータージェット噴射装置のウォータージェット噴射装置本体の拡大図である。
【発明を実施するための形態】
【００２６】
以下、図面を参照しながら本発明の実施形態に係るウォータージェット噴射装置を説明する。
【００２７】
図１に示すように、ウォータージェット噴射装置Ｓは、化学プラント、建築現場、土木現場等において、ワーク等の対象物に高圧流体を噴き付けて洗浄、剥離、はつり、切断等の種々の作業を行う場合に使用される高圧水噴射装置である。ウォータージェット噴射装置Ｓは、高圧流体を発生させるための高圧流体発生手段Ｐと、圧縮空気を発生させるためのエア供給源ＡＰと、このエア供給源ＡＰ及び高圧流体発生手段Ｐから圧縮エア及び高圧流体が供給されるドレン弁ユニット２と、高圧流体発生手段Ｐから供給された高圧流体を噴射流として噴射するためのウォータージェット噴射装置本体１と、高圧流体発生手段Ｐとウォータージェット噴射装置本体１とをドレン弁ユニット２を介して連結して高圧流体を送るための高圧ホース３と、高圧流体発生手段Ｐから供給される高圧流体を噴射流としてノズル１１から噴射させるためのウォータージェット噴射用スイッチ装置７と、を主に備えている。
【００２８】
ウォータージェット噴射装置Ｓは、作業者が一方の手（右手）で基端側把手１２を把持し、他方の手（左手）で先端側把手１３を把持して、手元スイッチ５とグリップスイッチ６との２つのスイッチがＯＮになったときにのみ、ノズル１１から高圧水を噴射流として噴射させることが可能な装置である。このため、ウォータージェット噴射装置Ｓは、ウォータージェット洗浄作業等において、ウォータージェット噴射装置本体１を両手でしっかりと把持しているときにのみ、効率的に高圧水を噴射させて洗浄等の作業ができるようになっている。
【００２９】
基端側把手１２は、作業者が後側（一方）の手で把持するグリップ部位であり、ウォータージェット噴射装置本体１の基端側寄りの位置にある接続部１５に取り付けられている。基端側把手１２には、後記する手元スイッチ５と、トリガーガード１２ａと、が設けられている。基端側把手１２のトリガーガード１２ａは、手元スイッチ５の前側周辺を覆う側面視して略Ｌ字形状の厚板部材からなるガードである。トリガーガード１２ａは、下端部が基端側把手１２の下端面に固定され、上端部が接続部１５の下面に固定されている。
【００３０】
手元スイッチ５は、接続部１５を流れる噴射流の噴射及び停止を行うためのバルブスイッチであり、基端側把手１２の前面部側に設けられている。手元スイッチ５は、例えば、作業者の利き腕の手（右手）で握る基端側把手１２に取り付けられ、レバー形状等のノブを手前側に一段押すとＯＮし、その手と緩めると自動戻りしてＯＦＦする自動復帰式レバースイッチからなる。
【００３１】
高圧流体発生手段Ｐは、高圧流体発生させる高圧ポンプ（例えば、プランジャーポンプ等）からなり、トラック等の作業車の荷台に設置され、作業車の動力等を利用して駆動される。高圧流体発生手段Ｐは、例えば、２００ＭＰａ以上の超高圧流体（以下「高圧水」という）をドレン弁ユニット２を介してウォータージェット噴射装置本体１に供給する。この高圧流体発生手段Ｐは、作業車に搭載され水道水等の液体を貯留した給水タンク(図示省略)に接続されており、高圧ポンプの駆動によって給水タンク内の液体を供給及び加圧して供給流路内の液体を加圧する。
【００３２】
エア供給源ＡＰは、圧縮空気を発生させるコンプレッサからなり、高圧流体発生手段Ｐが搭載された作業車の荷台に設置されている。エア供給源ＡＰは、圧縮空気の流量を調整可能な流量制御弁２４と、予め設定した圧力になると開閉する圧力スイッチ２５と、受信器２２からの駆動信号を受信したときに作動するエア自動弁２３を介在してドレン弁２１に接続されている。なお、エア供給源ＡＰは、例えば、０．５ＭＰａ以上の圧縮空気を発生させることが可能になっている。
【００３３】
ウォータージェット噴射用スイッチ装置７は、手元スイッチ５とグリップスイッチ６が、その両方が押されてＯＮになったときに、ノズル１１から噴射流を噴射させるように出力するスイッチ装置である。このウォータージェット噴射用スイッチ装置７は、ウォータージェット噴射装置本体１に設けられた先端側把手１３に設置され、作業者が他方の手で先端側把手１３を把持しながら操作するグリップスイッチ６と、グリップスイッチ６からの開閉信号を送信する信号送信ユニット４（信号送信部）と、信号送信ユニット４からの信号を受信する受信器２２と、信号送信ユニット４からの駆動信号を受信器２２で受信したときに作動するエア自動弁と、高圧流体発生手段Ｐからウォータージェット噴射装置本体１に高圧流体を供給する高圧ホース３を流路開放状態と流路遮断状態とに切り換えるドレン弁２１を閉弁させて、高圧流体発生手段Ｐからウォータージェット噴射装置本体１に高圧流体を供給可能するドレン弁ユニット２と、を備えている。
【００３４】
グリップスイッチ６は、未操作の第１操作ポジションのときにＯＦＦ、第１操作ポジションから一段押して第２操作ポジポジションに操作したときにＯＮ、第２ポジションからさらに一段押して第３ポジションに操作したときにＯＦＦとなる３ポジションスイッチからなる。換言すると、グリップスイッチ６は、ノブを手前側に一段押すとＯＮし、二段押すとＯＦＦになる二段式レバースイッチからなる。グリップスイッチ６は、作業者の利き腕でない方の手（左手）で握る先端側把手１３に取り付けられている。
グリップスイッチ６は、接点端子(図示省略)が電線ケーブル１３ａによって信号送信ユニット４に接続されて、ＯＮ、ＯＦＦ信号が信号送信ユニット４に送られるように配線されている。グリップスイッチ６は、いわゆる安全スイッチであって、このグリップスイッチ６をＯＮにすると、エア自動弁２３が開いてドレン弁２１が閉弁されて高圧流体発生手段Ｐからウォータージェット噴射装置本体１へ高圧水が供給される状態となる。また、ＯＦＦのときは、ドレン弁２１は開放され、高圧流体発生手段Ｐから貯留タンク２６に高圧水が排出される。
【００３５】
信号送信ユニット４（信号送信部）は、グリップスイッチ６からの開閉信号を受信器２２に送信するための信号送信装置である。信号送信ユニット４は、グリップスイッチＯＮ信号を電波信号に変換する不図示の小電力無線モジュールと、小電波信号を発信するアンテナと、電力無線モジュールに電力を供給するための電池と、電線ケーブル１３ａ等を接続するための接続端子と、簡易防滴ボックスからなる筐体と、を備えている。この信号送信ユニット４は、筐体に設けた接続端子が、電線ケーブル１３ａによってウォータージェット噴射装置本体１のグリップスイッチ６に接続されている。信号送信ユニット４は、作業中、この信号送信ユニット４の筐体をベルト(図示省略)によって作業者の腰等に取り付けられている。
【００３６】
ドレン弁ユニット２は、信号送信ユニット４からの駆動信号を受信器２２で受信したときに作動して、高圧水が高圧流体発生手段Ｐからウォータージェット噴射装置本体１に供給されるようにするポータブル式の装置である。ドレン弁ユニット２は、ウォータージェット噴射装置本体１と高圧流体発生手段Ｐとの間に介在されて、前記作業車の荷台に設置されている。
ドレン弁ユニット２には、それぞれ後記する高圧ホース３と、ドレン弁２１と、受信器２２と、エア自動弁２３と、を備えている。ドレン弁ユニット２は、信号送信ユニット４からの駆動信号を受信したときに、エア自動弁２３を開いてドレン弁２１を閉弁させて、高圧流体発生手段Ｐからウォータージェット噴射装置本体１に高圧流体を供給可能にする。このため、ウォータージェット噴射装置Ｓにおいて、ウォータージェット噴射装置本体１に設けられたグリップスイッチ６は、作業車等に搭載されたドレン弁ユニット２との間の電気配線を省略できるようになっている。
【００３７】
ドレン弁２１は、高圧流体発生手段Ｐによって加圧されて高圧ホース３内を通って貯留タンク２６に排出されている高圧流体を、流路開放状態から流路遮断状態に切り換えて、ウォータージェット噴射装置本体１が高圧噴射可能な状態にするバルブである。ドレン弁２１は、配管２１ａによってエア自動弁２３に接続されると共に、上流側の配管２１ｂが高圧ホース３を介して高圧流体発生手段Ｐに接続され、下流側の配管２１ｃの下流端が貯留タンク２６に設置されている。このため、ドレン弁２１は、エア自動弁２３からの圧縮空気によって作動し、開くと高圧流体発生手段Ｐからの高圧水を貯留タンク２６に放出したり、閉じるとウォータージェット噴射装置本体１に流したりする機能がある。
【００３８】
受信器２２は、信号送信ユニット４からのグリップスイッチＯＮ信号を受信してエア自動弁２３を開閉させる無線受信器である。この受信器２２は、作業車に搭載された電源(図示省略)に電線２２ｂを介して接続するコンセント２２ａと、エア自動弁２３に接続した配管２２ｃと、信号送信ユニット４からの電波を受信するアンテナ２２ｄと、を備えている。
【００３９】
エア自動弁２３は、エア供給源ＡＰから作動用の圧縮空気が供給されて、受信器２２からのグリップスイッチＯＮ信号で作動してドレン弁２１を閉弁させるバルブであり、ドレン弁２１の近傍に設けられている。エア自動弁２３は、配管２３ａによって圧力スイッチ２５及び流量制御弁２４を介してエア供給源ＡＰに接続されている。
貯留タンク２６は、不図示の配管を介して高圧流体発生手段Ｐに接続されて、高圧流体発生手段Ｐから供給された高圧流体が、その配管と高圧ホース３とにより循環するように構成されている。
【００４０】
高圧ホース３は、作業車に搭載された高圧流体発生手段Ｐで生成した高圧水を、作業場にあるウォータージェット噴射装置本体１に供給するための配管である。この高圧ホース３は、上流側が高圧流体発生手段Ｐに接続され、下流側が前記基端側把手１２及びドレン弁２１に接続されている。
【００４１】
先端側把手１３は、作業者が前側（他方）の手で把持するグリップ部位であり、ウォータージェット噴射装置本体１の前寄り中央部位に取り付けられている。先端側把手１３には、先端側把手１３の前面側に設置されたグリップスイッチ６と、先端側把手１３の下端に接続された電線ケーブル１３ａと、この電線ケーブル１３ａの接続箇所に設けられた円筒コイル部材１３ｂと、グリップスイッチ６のノブの前側周辺を囲むように設置されたトリガーガード１３ｃと、先端側把手１３の上端部に設けられた把手取付部１３ｄと、が設けられている。
【００４２】
電線ケーブル１３ａは、基端部を先端側把手１３に固定した円筒コイル部材１３ｂ内に挿通されていることにより、絡んだり、揺動したりし難くなっている。
先端側把手１３のトリガーガード１３ｃは、グリップスイッチ６の前側周辺を覆う側面視して略コ字形状の厚板部材である。このトリガーガード１３ｃは、下端部が先端側把手１３の下端面に固定され、上端部が先端側把手１３の上面に固定されている。
把手取付部１３ｄは、先端側把手１３を円筒管状のランス部１４に固定する部材である。
【００４３】
図２に示すように、ウォータージェット噴射装置本体１は、いわゆるウォータージェットガンであり、作業者が手で持ち運び可能な銃形タイプの噴射装置本体である。ウォータージェット噴射装置本体１は、高圧ホース３が接続される接続部１５と、接続部１５から先端側に向けて延設された直管状のランス部１４と、ランス部１４の先端に設けられたノズル１１と、を備えている。その他、このウォータージェット噴射装置本体１には、肩掛けバンド(図示省略)を取り付けてもよい。
ウォータージェット噴射装置本体１は、手元スイッチ５とグリップスイッチ６との両方がＯＮになったときに、高圧流体発生手段Ｐから供給される噴射流を、ノズル１１から噴射するように構成されている。
【００４４】
ノズル１１は、高圧流体発生手段Ｐから供給される高圧水を噴射流として噴射する噴射口であり、円筒管状のランス部１４の先端に装着された略キャップ形状の部材からなる。ノズル１１の口径は、例えば、０．４ｍｍ程度に形成されている。
【００４５】
ランス部１４は、略円筒管形状の本体を形成する鋼管であり、ウォータージェット噴射装置本体１の基端部から先端部に亘って真っすぐな状態に配置されている。ランス部１４は、基端側が基端側把手１２に取り付けられて高圧ホース３に連通し、先端側がノズル１１の噴射口に連通して、高圧水の流路を形成している。
【００４６】
接続部１５は、高圧ホース３の先端とランス部１４とを連結すると共に、基端側把手１２、手元スイッチ５のトリガー及びトリガーガード１２ａの上端部をランス部１４に固定するための部材である。
【００４７】
ガード部材１６は、ランス部１４において、先端側把手１３よりも先端のノズル１１寄りの位置に設置されている。これは、作業者が誤って自分の足に向かって高圧水を噴射し損傷させてしまうことを防止する部材である。また、噴射した高圧水の跳ね返りから作業者を保護する目的もある。
【００４８】
このように、ウォータージェット噴射装置Ｓは、例えば、ノズル１１を銃口、基端側把手１２及び先端側把手１３をそれぞれの把手とした銃型形状に形成されている。このため、作業者は、両手でウォータージェット噴射装置本体１の前後部位を保持し、安定した状態で高圧水を噴射させることができる。
【００４９】
≪作用≫
次に、図１及び図２を主に参照しながら本発明の実施形態にウォータージェット噴射装置の作用を作業工程順に説明する。
【００５０】
まず、図１に示すウォータージェット噴射装置Ｓを使用する場合は、ウォータージェット噴射装置Ｓ全体を作業車に積載して作業現場に移動する。その作業車が現場に着いたら、エア供給源ＡＰ及び高圧流体発生手段Ｐを駆動させ、ドレン弁ユニット２のコンセント２２ａを作業車の電源に接続する。エア供給源ＡＰで生成された圧縮空気は、配管２３ａから流量制御弁２４及び圧力スイッチ２５を介してＯＦＦ状態のエア自動弁２３に送られる。また、高圧流体発生手段Ｐで生成された高圧水は、高圧ホース３から配管２１ｂ、開弁状態のドレン弁２１、貯留タンク２６及び不図示の循環ホースを介して高圧流体発生手段Ｐに戻る循環を行う。
【００５１】
また、作業者は、信号送信ユニット４のベルトを腰に巻き付けて取り付け、高圧ホース３を引回しながら、ウォータージェット噴射装置本体１を作業場所へ移動させる。このような場合、ウォータージェット噴射装置Ｓは、手元スイッチ５とグリップスイッチ６の両方のスイッチが、ＯＮ状態になることがないので、ノズル１１から高圧水が噴射されることがない。
【００５２】
例えば、対象物に高圧水を噴射して洗浄する場合、まず初めに作業者は、右手（利き手）で基端側把手１２を握り、左手で先端側把手１３を握り、ノズル１１の噴射口を対象物に向ける。次に、先端側把手１３にあるグリップスイッチ６を押してＯＮさせる。すると、グリップスイッチ６のＯＮ信号が電線ケーブル１３ａを通って信号送信ユニット４に送られる。信号送信ユニット４は、そのＯＮ信号を電波で受信器２２に送る。受信器２２は、エア自動弁２３に駆動信号を送って、エア自動弁２３を駆動させる。すると、エア自動弁２３は、開弁してエア供給源ＡＰからの圧縮空気をドレン弁２１に供給させて、ドレン弁２１を閉弁させる。このため、高圧流体発生手段Ｐの高圧水が高圧ホース３を通ってウォータージェット噴射装置本体１の接続部１５に供給される。
なお、エア自動弁２３とドレン弁２１は、互いに近傍位置にあるので、エア自動弁２３が作動すると直ぐにドレン弁２１が駆動するため、作業者がグリップスイッチ６を操作してから高圧水が噴射及び停止される反応時間を短縮させることができる。
【００５３】
作業者は、さらに、右手で手元スイッチ５をＯＮ状態にする。すると、接続部１５内のトリガーが開弁され、高圧水がノズル１１から噴射されて対象物を洗浄する。このとき、作業者は、右手で基端側把手１２を握り、左手で先端側把手１３を握っているので、しっかりとウォータージェット噴射装置本体１を保持することができるため、高圧水を洗浄する対象物を目掛けて安定した状態に噴射して洗浄作業を行うことができる。
【００５４】
高圧水の噴射を停止させる場合は、手元スイッチ５とグリップスイッチ６の少なくとも何れか一方をＯＦＦ状態にすれば、噴射が停止される。例えば、手元スイッチ５がＯＦＦになった場合は、接続部１５内のトリガーが閉弁になるので、高圧水の噴射が停止される。
また、グリップスイッチ６をＯＦＦにすると、グリップスイッチ６のＯＦＦ信号が電線ケーブル１３ａを通って信号送信ユニット４に送られる。信号送信ユニット４は、そのＯＦＦ信号を電波で受信器２２に送る。受信器２２は、エア自動弁２３にＯＦＦ信号を送って、エア自動弁２３を閉じる。すると、ドレン弁２１を開弁する。このため、高圧流体発生手段Ｐの高圧水がドレン弁２１から貯留タンク２６側へ流れ、ウォータージェット噴射装置本体１側への供給が停止する。
【００５５】
このように、本実施形態に係るウォータージェット噴射装置Ｓは、高圧水が、手元スイッチ５とグリップスイッチ６の両方のウォータージェット噴射用スイッチ装置７がＯＮになったときにノズル１１から噴射されるように出力するので、作業者がウォータージェット噴射装置本体１を両手でしっかりと持っているときにのみ高圧水が噴射される。このため、作業者の意思に反して高圧水が予期せぬ方向に噴射されるのを防止することができる。その結果、ウォータージェット噴射装置本体１は、対象物に向けて正確に高圧水を噴射させることができるので、操作性及び作業性を向上させることができる。
また、必ず、両手でしっかりと持った安定した状態で洗浄作業等が行われるので、長期時間の作業にも対応することができる。
【００５６】
［第１変形例］
なお、本発明は、前記実施形態に限定されるものではなく、その技術的思想の範囲内で種々の改造及び変更が可能であり、本発明はこれら改造及び変更された発明にも及ぶことは勿論であり、図３及び図４を主に参照して第１変形例を説明する。なお、すでに説明した構成は同じ符号を付してその説明を省略する。
図３は、本発明の実施形態に係るウォータージェット噴射装置の第１変形例を示す概略図である。図４は、図３に示すウォータージェット噴射装置本体の拡大図である。
【００５７】
前記実施形態で説明した図１に示すウォータージェット噴射装置Ｓは、手元スイッチ５とグリップスイッチ６の２つのスイッチがＯＮ状態になったときに高圧水がノズル１１から噴射されればよく、ウォータージェット噴射装置本体１及びドレン弁ユニット２の構成は適宜変更しても構わない。
例えば、図３に示すように、ウォータージェット噴射装置ＳＡのドレン弁ユニット２Ａは、それぞれ後記する高圧ホース３Ａと、ドレン弁２１Ａと、リークノズル２７Ａと、エアコントロールユニット２８Ａと、受信器２２Ａと、エア自動弁２３Ａと、エアバルブ２５Ａと、を備えて構成されている。
【００５８】
高圧ホース３Ａは、高圧流体発生手段Ｐからウォータージェット噴射装置本体１Ａの接続部１５に接続され、ドレン弁２１Ａが閉弁状態になったときに、高圧水がウォータージェット噴射装置本体１Ａに流れるようになっている。
ドレン弁２１Ａは、受信器２２Ａが駆動し、手元スイッチ５Ａから圧縮空気が供給され、エア自動弁２３Ａ及びエアバルブ２５Ａが開弁状態になったときに、ウォータージェット噴射装置本体１Ａへ高圧水が流れるように切り換える。
リークノズル２７Ａは、上流側がドレン弁２１Ａに接続され、下流側が不図示の配管によって高圧流体発生手段Ｐに接続されて高圧水が循環するように構成されている。
【００５９】
エアコントロールユニット２８Ａは、エア供給源ＡＰからの圧縮空気を基端側把手１２Ａに送るスイッチ作動エア供給流路２９Ａｂと、エアバルブ２５Ａを駆動させるバルブ駆動用エア供給流路２９Ａｃとを形成するものであり、電磁弁２９Ａを主に備えている。電磁弁２９Ａは、上流側がエア供給源ＡＰに接続され、下流側が手元スイッチ５Ａに接続されて、手元スイッチ５Ａに圧縮空気を供給する。
【００６０】
受信器２２Ａは、信号送信ユニット４からのグリップスイッチ６のＯＮ信号を受けてエア自動弁２３Ａを作動させる無線電波受信機である。
エア自動弁２３Ａは、上流側が手元スイッチ５Ａに接続され、下流側がエアバルブ２５Ａに接続されており、受信器２２Ａからのグリップスイッチ６のＯＮ信号を受けたときに駆動し、手元スイッチ５ＡをＯＮにしたときの圧縮空気によってエアバルブ２５Ａを作動させる。
エアバルブ２５Ａは、エア供給管２９Ａａ及びバルブ駆動用エア供給流路２９Ａｃとエア配管５Ａｃを介して圧縮空気が供給され、手元スイッチ５ＡがＯＮになって圧縮空気がエア配管５Ａｃに供給された際に作動し、ドレン弁２１Ａをウォータージェット噴射装置本体１Ａ側に切換させる。
【００６１】
図４に示すように、基端側把手１２Ａは、手元スイッチ５Ａと、セーフティロック５Ａａと、セーフティロック５Ａａ及び手元スイッチ５Ａの前側周囲に設けられたセーフティガード１２Ａａと、を備えている。
手元スイッチ５Ａは、基端側把手１２Ａに設けられたスイッチであり、スイッチ作動エア供給流路２９Ａｂを介して圧縮空気が供給される圧縮空気供給配管５Ａｂと、手元スイッチ５ＡがＯＮしたときに圧縮空気をエア自動弁２３Ａに送るエア配管５Ａｃと、手元スイッチ５ＡがＯＦＦ状態のときに供給された圧縮エアを排出する圧縮空気排出管５Ａｄと、を備えている。
【００６２】
つまり、手元スイッチ５Ａは、作業者が操作してＯＮ状態になると、圧縮空気をドレン弁ユニット２Ａに供給してエア自動弁２３Ａに送る。そして、エア自動弁２３Ａは、グリップスイッチ６のＯＮ信号で信号送信ユニット４及び受信器２２Ａを介して駆動信号がこのエア自動弁２３Ａに伝達されると作動して、エアバルブ２５Ａ及びドレン弁２１Ａを駆動させ、高圧流体発生手段Ｐから高圧ホース３Ａを介してウォータージェット噴射装置本体１Ａに高圧水を供給してノズル１１Ａから噴射流を噴射させる。
【００６３】
このように、ウォータージェット噴射装置ＳＡの場合も、前記実施形態と同様、作業者がウォータージェット噴射用スイッチ装置７Ａの基端側把手１２Ａの手元スイッチ５Ａと、先端側把手１３のグリップスイッチ６の両方のスイッチをＯＮ状態にすると、ノズル１１Ａから噴射されるようになっている。
【００６４】
［第２変形例］
図５は、本発明の実施形態に係るウォータージェット噴射装置の第２変形例を示す概略図である。
前記第１変形例の１つからなるドレン弁ユニット２Ａ（図３参照）は、例えば、図５に示すように、ドレン弁ユニット２Ｂと無線受信ユニット２Ｂａとの２つに分けて構成しても構わない。
つまり、ドレン弁ユニット２Ｂは、前記第１変形例のドレン弁ユニット２Ａからコンセント２２Ａａと受信器２２Ａとエア自動弁２３Ａを取り除いて、無線受信ユニット２Ｂａとして別にして、エア供給源ＡＰとドレン弁ユニット２Ｂの電磁弁２９Ａとの間に設けてもよい。
【００６５】
この場合、ドレン弁ユニット２Ｂは、ドレン弁２１Ａとリークノズル２７Ａと電磁弁２９Ａとエアバルブ２５Ａとを備えている。エアバルブ２５Ａは、エア配管５Ａｃによって手元スイッチ５Ａに接続されると共に、上流側がバルブ駆動用エア供給流路２９Ａｃ及びエア供給管２９Ａａを介してエア自動弁２３Ｂに接続され、下流側がドレン弁２１Ａに接続されている。
【００６６】
また、無線受信ユニット２Ｂａは、信号送信ユニット４からのグリップスイッチＯＮの電波信号を受信して作動する受信器２２Ｂと、受信器２２Ｂからの駆動信号を受けると作動するエア自動弁２３Ｂと、から主に構成されている。受信器２２Ｂは、コンセント２２Ｂａを有し、受信器２２Ｂに電気的に接続されている。エア自動弁２３Ｂは、上流側がエア供給源ＡＰに接続され、下流側がドレン弁ユニット２Ｂに接続されている。
【００６７】
ウォータージェット噴射装置ＳＢは、グリップスイッチ６をＯＮさせて、信号送信ユニット４を介して無線受信ユニット２Ｂａの受信器２２Ｂが、グリップスイッチＯＮ信号を受信すると、エア自動弁２３Ｂを駆動させて、エア供給源ＡＰからの圧縮空気をドレン弁ユニット２Ｂに供給する。このため、グリップスイッチ６がＯＮしなければ、エア供給源ＡＰからの圧縮空気がドレン弁ユニット２Ｂに供給されないようになっている。
前記ドレン弁ユニット２Ｂは、エア供給管２９Ａａ及びバルブ駆動用エア供給流路２９Ａｃを介してエアバルブ２５Ａに供給すると共に、電磁弁２９Ａ及びスイッチ作動エア供給流路２９Ａｂを介して手元スイッチ５Ａに圧縮空気を供給する。
【００６８】
そして、作業者が手元スイッチ５ＡをＯＮすると、エア配管５Ａｃを介してエアバルブ２５Ａに圧縮空気が供給されて開弁状態になり、エア自動弁２３Ｂからの圧縮空気がドレン弁２１Ａに流れて駆動させ、高圧ホース３Ａを介してウォータージェット噴射装置本体１Ｂに高圧水を供給してノズル１１Ａから噴射流を噴射させる。
【００６９】
ウォータージェット噴射装置ＳＢは、このように構成しても、前記実施形態と同様、作業者が左手で先端側把手１３を握ってグリップスイッチ６をＯＮにし、さらに、基端側把手１２Ａを右手で握って手元スイッチ５ＡをＯＮにして、ウォータージェット噴射用スイッチ装置７Ｂの両方のスイッチをＯＮ状態にすると、ノズル１１Ａから噴射されるようになっている。
【００７０】
［第３変形例］
図６は、本発明の実施形態に係るウォータージェット噴射装置の第３変形例を示す概略図である。図７は、図６に示すウォータージェット噴射装置本体の拡大図である。
図６に示すように、ウォータージェット噴射装置本体１Ｃは、作業者の肩に担ぎながら作業を行うようにしたタイプのものである。
【００７１】
図７に示すように、ウォータージェット噴射装置本体１Ｃは、高圧ホース３が接続される接続部１５Ｃと、基端部の接続部１５Ｃから先端部のノズル１１Ｃに亘って延設された直管状のランス部１４Ｃと、ランス部１４Ｃの基端側に設けられた基端側把手１２Ｃと、ランス部１４Ｃの先端に設けられたノズル１１Ｃと、ランス部１４Ｃの先端部寄りに取り付けられた先端側把手１３Ｃと、基端側把手１２Ｃに設けられた手元スイッチ５Ｃと、先端側把手１３Ｃに設けられたグリップスイッチ６Ｃと、を備えている。
【００７２】
基端側把手１２Ｃは、ランス部１４Ｃに外嵌された円筒状の部材からなり、後側の手（右手）で握る部位である。この基端側把手１２Ｃは、上面側に手元スイッチ５Ｃのセーフティレバー５Ｃａと、このセーフティレバー５Ｃａの上側上方を囲むように配置されたセーフティガード５Ｃｂと、を備えている。なお、基端側把手１２Ｃは、作業者の肩に載せる部位にもなっているので、前後方向に長い長尺形状をしている。
【００７３】
先端側把手１３Ｃは、ランス部１４Ｃの先端部の下側に側面視して略コ字形状に形成されたグリップからなり、前側の手（左手）で握る部位である。先端側把手１３Ｃは、下端部上面部にグリップスイッチ６Ｃが設けられた把持部１３Ｃａと、把持部１３Ｃａの後端部をランス部１４Ｃに固定するための後側取付部１３Ｃｂと、把持部１３Ｃａの前端部をランス部１４Ｃに固定するための前側取付部１３Ｃｃと、を備えている。把持部１３Ｃａは、この把持部１３Ｃａとランス部１４Ｃとの間に、操作する指を挿入できるようにランス部１４Ｃから離間して配置されている。
【００７４】
手元スイッチ５Ｃは、基端側把手１２Ｃを握った手で下側に引くことによって、高圧水の流路を形成するランス部１４Ｃ内を開閉状態にするレバースイッチ型の手動切換弁からなる。手元スイッチ５Ｃは、後端部の支軸をランス部１４Ｃに軸支し、その支軸を支点をして回動する前記セーフティレバー５Ｃａと、前記セーフティガード５Ｃｂと、を備えている。手元スイッチ５Ｃは、セーフティレバー５Ｃａから手を離せば、戻しばね（図示省略）で元のＯＦＦに自動復帰して、ランス部１４Ｃに内設された手動切換弁（図示省略）を閉弁させ、セーフティレバー５Ｃａをランス部１４Ｃ側に引く操作を行えば、ランス部１４Ｃ内の手動切換弁（図示省略）が開弁されるように構成されている。
グリップスイッチ６Ｃは、先端側把手１３の把持部１３Ｃａを握った手で握る方向（下方向）に押圧操作するとＯＮする押釦スイッチからなり、ランス部１４Ｃの下面に対向して配置されている。
【００７５】
ウォータージェット噴射用スイッチ装置７Ｃの手元スイッチ５Ｃ及びグリップスイッチ６Ｃは、このように形成することによって、作業者がウォータージェット噴射装置本体１Ｃを肩に担いだ状態のときに、操作し易い状態に形成されたスイッチからなる。
ウォータージェット噴射装置本体１Ｃは、基端側把手１２Ｃの後端側を肩の載せて、運んだり、操作して洗浄作業等を行ったりすることにより、両手と肩とでウォータージェット噴射装置本体１Ｃを支持することができるため、作業が行い易い。
【００７６】
［その他の変形例］
また、前記実施形態においては、手元スイッチ５は、レバースイッチを例に挙げて説明したが、作業者が指でノブを押したときに作動すればよく、自動復帰式の押釦スイッチタイプ等のものであってもよい。
また、グリップスイッチ６は、二段式押釦スイッチでもよい。
また、本発明は、ウォータージェット噴射装置にかかわらず、ブラスト装置に適用することもできる。
また、信号送信ユニット４（信号送信部）は、無線送信を例に挙げて説明したが、電線を使用した有線送信装置であってもよい。その場合は、電線で信号送信ユニット４と受信器２２を接続する。
【符号の説明】
【００７７】
１，１Ａ，１Ｂ，１Ｃ  ウォータージェット噴射装置本体
２，２Ａ，２Ｂ  ドレン弁ユニット
３，３Ａ  高圧ホース
４      信号送信ユニット（信号送信部）
５，５Ａ，５Ｃ  手元スイッチ
６，６Ｃ  グリップスイッチ
７，７Ａ，７Ｂ，７Ｃ  ウォータージェット噴射用スイッチ装置
１１，１１Ａ，１１Ｃ  ノズル
１２，１２Ａ，１２Ｃ  基端側把手
１３，１３Ｃ  先端側把手
１４，１４Ｃ  ランス部
２１，２１Ａ  ドレン弁
２２，２２Ａ，２２Ｂ  受信器
ＡＰ    エア供給源
Ｐ      高圧流体発生手段
Ｓ，ＳＡ，ＳＢ，ＳＣ  ウォータージェット噴射装置
【図１】
2014080795.tif 000003
【図２】
2014080795.tif 000004
【図３】
2014080795.tif 000005
【図４】
2014080795.tif 000006
【図５】
2014080795.tif 000007
【図６】
2014080795.tif 000008
【図７】
2014080795.tif 000009